【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
アニオン性の自己架橋可能ポリウレタン材料であって、該ポリウレタン材料が、以下：
（ａ）少なくとも１つのポリイソシアネート；
（ｂ）少なくとも１つの活性水素含有材料；ならびに
（ｃ）該ポリウレタンを形成する他の成分のイソシアネート基と反応性の官能基を有する、少なくとも１つの酸官能性材料であって、該イソシアネート基と反応性の官能基が、ＯＨ、ＳＨ、ＮＨ２およびＮＨＲからなる群より選択され、Ｒが、アルキル基、アリール基、シクロアルキル基、置換したアルキル基、置換したアリール基、および置換したシクロアルキル基、ならびにそれらの混合物を含む、少なくとも１つの酸官能性材料；または
該ポリウレタンを形成する他の成分のヒドロキシル基と反応性の官能基を有する、材料であって、成分（ｃ）が無水物官能基を有する材料である場合、該ポリウレタン材料は、さらに、（ｄ）少なくとも１つの一級または二級アミノ基、および少なくとも１つのヒドロキシル基を有する、少なくとも１つの材料を含む、材料、
を含む成分から形成されるポリウレタンを含み、ここで、各成分が異なっており、該ポリウレタン材料は、１モル当たり１５，０００グラム未満の重量平均分子量を有し、ここで、該ポリウレタン材料は、硬化する場合に、２５℃の温度でのＴＯＵＧＨＮＥＳＳ  ＴＥＳＴ  ＭＥＴＨＯＤに従って少なくとも２０ＭＰａの靱性を有する、ポリウレタン材料。
【請求項２】
前記ポリウレタン材料が、１モル当たり３，０００〜１０，０００グラムの範囲の重量平均分子量を有する、請求項１に記載のポリウレタン材料。
【請求項３】
前記ポリウレタン材料が、１モル当たり４，０００〜８，０００グラムの範囲の重量平均分子量を有する、請求項２に記載のポリウレタン材料。
【請求項４】
前記ポリウレタン材料が、１当量当たり２００〜４００グラムの範囲の、合わせたウレタン／尿素当量を有する、請求項１に記載のポリウレタン材料。
【請求項５】
前記ポリウレタン材料が、ウレタン基１当量当たり２２０〜３２０グラムのフィルムの範囲の、合わせたウレタン／尿素当量を有する、請求項１に記載のポリウレタン材料。
【請求項６】
前記ポリウレタン材料が、硬化する場合に、２５℃の温度でのＴＯＵＧＨＮＥＳＳ  ＴＥＳＴ  ＭＥＴＨＯＤに従って２０〜６０ＭＰａの範囲の靱性を有する、請求項１に記載のポリウレタン材料。
【請求項７】
前記ポリウレタン材料が、硬化する場合に、２５℃の温度でのＴＯＵＧＨＮＥＳＳ  ＴＥＳＴ  ＭＥＴＨＯＤに従って２０〜５０ＭＰａの靱性を有する、請求項６に記載のポリウレタン材料。
【請求項８】
前記ポリウレタン材料が、イソシアネート官能基を含み、該イソシアネート官能基が、ブロッキング剤でブロックされている、請求項１に記載のポリウレタン材料。
【請求項９】
前記ブロッキング剤が、９０℃〜１８０℃の温度範囲で前記イソシアネート官能基から脱ブロックされ得る、請求項８に記載のポリウレタン材料。
【請求項１０】
前記ブロッキング剤が、１６０℃未満の温度で前記イソシアネート官能基から脱ブロックされ得る、請求項９に記載のポリウレタン材料。
【請求項１１】
水性組成物であって、該水性組成物は、請求項１に記載のポリウレタン材料を含有し、該ポリウレタン材料が、該水性組成物中に、該水性組成物の全重量に基づいて１０〜６０重量パーセントの範囲の量で存在する、水性組成物。
【請求項１２】
前記ポリウレタン材料が、前記水性組成物中に、該水性組成物の全重量に基づいて４０〜５５重量パーセントの範囲の量で存在する、請求項１１に記載の水性組成物。
【請求項１３】
水性組成物であって、該水性組成物は、請求項１に記載のポリウレタン材料を含有し、前記ポリウレタン材料が、水性媒体中に分散される場合に、アニオン性であり、そして塩の基を含む、水性組成物。
【請求項１４】
請求項１に記載のポリウレタン材料であって、前記ポリイソシアネートが、脂肪族ポリイソシアネート、脂環式ポリイソシアネート、アラリファティックポリイソシアネート、および芳香族ポリイソシアネート、ならびにそれらの混合物からなる群より選択される、ポリウレタン材料。
【請求項１５】
前記ポリイソシアネートが、イソホロンジイソシアネート、テトラメチルキシリレンジイソシアネート、トリメチルヘキサメチレンジイソシアネート、ヘキサメチレンジイソシアネート、およびそれらの混合物からなる群より選択される、請求項１４に記載のポリウレタン材料。
【請求項１６】
前記ポリイソシアネートが、イソホロンジイソシアネートである、請求項１５に記載のポリウレタン材料。
【請求項１７】
前記ポリイソシアネートが、前記硬化可能なポリウレタン材料を形成する成分の全樹脂固体に基づいて、１０〜６０重量パーセントの範囲の量で存在する、請求項１に記載のポリウレタン材料。
【請求項１８】
前記活性水素含有材料がポリオールである、請求項１に記載のポリウレタン材料。
【請求項１９】
前記ポリオールが、１モル当たり３０００グラム未満の重量平均分子量を有する、請求項１８に記載のポリウレタン材料。
【請求項２０】
前記ポリオールが、１モル当たり少なくとも６０グラムの重量平均分子量を有する、請求項１９に記載のポリウレタン材料。
【請求項２１】
前記ポリオールが、トリメチロールプロパン、ジトリメチロールプロパン、ペンタエリスリトール、トリメチロールエタン、およびそれらの混合物からなる群より選択される、請求項２０に記載のポリウレタン材料。
【請求項２２】
前記ポリオールが、トリメチロールプロパンである、請求項２１に記載のポリウレタン材料。
【請求項２３】
前記ポリオールが、前記硬化可能なポリウレタン材料を形成する成分の全樹脂固体に基づいて、２〜５０重量パーセントの範囲の量で存在する、請求項１８に記載のポリウレタン材料。
【請求項２４】
前記ポリイソシアネートおよび前記活性水素含有材料が、前記ポリウレタン材料を形成するために使用される残りの成分（ｃ）〜（ｄ）の添加前に、ポリイソシアネート官能性プレポリマーを形成するように前反応される、請求項１に記載のポリウレタン材料。
【請求項２５】
前記少なくとも１つの活性水素含有材料とは異なる材料であるポリオキシアルキレンポリアミンをさらに含む、請求項１に記載のポリウレタン材料。
【請求項２６】
ポリオキシプロピレンジアミン、ポリテトラメチレングリコールビス（３−アミノプロピル（エーテル））、およびそれらの混合物からなる群より選択されるポリオキシアルキレンポリアミンをさらに含む、請求項１に記載のポリウレタン材料。
【請求項２７】
前記ポリオキシアルキレンポリアミンが、ポリオキシプロピレンジアミンである、請求項２６に記載のポリウレタン材料。
【請求項２８】
前記ポリオキシアルキレンポリアミンが、前記硬化可能なポリウレタン材料を形成する成分の全樹脂固体に基づいて、１〜５０重量パーセントの範囲の量で存在する、請求項２５に記載のポリウレタン材料。
【請求項２９】
前記成分（ｃ）が、ジエタノールアミン、２−アミノ−２−メチルプロパンジオール、ジイソプロパノールアミン、およびそれらの混合物からなる群より選択される、請求項１に記載のポリウレタン材料。
【請求項３０】
前記成分（ｃ）が、ジエタノールアミンである、請求項２９に記載のポリウレタン材料。
【請求項３１】
前記成分（ｃ）が、前記硬化可能なポリウレタン材料を形成する成分の全樹脂固体に基づいて、２〜２０重量パーセントの範囲の量で存在する、請求項１に記載のポリウレタン材料。
【請求項３２】
前記成分（ｄ）が、酸無水物基を有する有機化合物である、請求項１に記載のポリウレタン材料。
【請求項３３】
前記成分（ｄ）が、ヒドロキシピバル酸および無水トリメリト酸からなる群より選択される、請求項１に記載のポリウレタン材料。
【請求項３４】
前記成分（ｄ）が、前記硬化可能ポリウレタン材料を形成する成分の全樹脂固体に基づいて、少なくとも２重量パーセントの量で存在する、請求項１に記載のポリウレタン材料。
【請求項３５】
少なくとも１つのポリオキシアルキレンポリオールをさらに含み、該少なくとも１つのポリオキシアルキレンポリオールが、成分（ａ）〜（ｄ）とは異なる、請求項１に記載のポリウレタン材料。
【請求項３６】
前記ポリオキシアルキレンポリオールが、ポリオキシエチレンポリオールおよびポリオキシプロピレンポリオールからなる群より選択される、請求項３５に記載のポリウレタン材料。
【請求項３７】
前記ポリオキシアルキレンポリオールがポリオキシテトラメチレンポリオールである、請求項３５に記載のポリウレタン材料。
【請求項３８】
前記ポリオキシアルキレンポリオールが、１モル当り３０００グラム未満の重量平均分子量を有する、請求項３５に記載のポリウレタン材料。
【請求項３９】
前記ポリウレタン材料のイソシアネート官能基をブロックするためのブロッキング剤をさらに含む、請求項１に記載のポリウレタン材料。
【請求項４０】
前記ブロッキング剤が、メチルエチルケトオキシム、ジメチルピラゾール、ε−カプロラクタム、ジイソプロピルアミン、ジブチルアミン、ジ−ｔｅｒｔ−ブチルアミン、およびそれらの混合物からなる群より選択される、請求項３９に記載のポリウレタン材料。
【請求項４１】
前記ブロッキング剤が、メチルエチルケトオキシム、ジメチルピラゾール、およびジイソプロピルアミンからなる群より選択される、請求項４０に記載のポリウレタン材料。
【請求項４２】
有機溶媒をさらに含む、請求項１に記載のポリウレタン材料。
【請求項４３】
第三級アミンをさらに含む、請求項１に記載のポリウレタン材料。
【請求項４４】
前記第三級アミンが、ジメチルエタノールアミンである、請求項４３に記載のポリウレタン材料。
【請求項４５】
請求項１に記載の硬化可能なポリウレタン材料を含む、粉末コーティング組成物。
【請求項４６】
請求項１に記載の硬化可能なポリウレタン材料を含む、水性スラリーコーティング組成物。
【請求項４７】
請求項１に記載の硬化可能なポリウレタン材料を含む、プライマーコーティング組成物。
【請求項４８】
前記ポリウレタン材料の硬化可能な基と反応性である硬化剤をさらに含む、請求項４７に記載のプライマーコーティング組成物。
【請求項４９】
前記ポリウレタン材料が、前記プライマーを形成する成分の全樹脂固体に基づいて、２０〜１００重量パーセントの範囲の量で該プライマー中に存在する、請求項４７に記載のプライマーコーティング組成物。
【請求項５０】
請求項１に記載の硬化可能なポリウレタン材料を含む、ベースコート組成物。
【請求項５１】
請求項１に記載の硬化可能なポリウレタン材料を含む、クリアコーティング組成物。
【請求項５２】
請求項１に記載の硬化可能なポリウレタン材料を含む、モノコート組成物。
【請求項５３】
色素コーティング組成物から堆積したベースコートおよび該ベースコート上に適用されるクリアコートを含む多成分複合コーティングであって、該クリアコートは、クリアコーティング組成物から堆積され、ここで、該ベースコート組成物および該クリアコーティング組成物の少なくとも１つが、請求項１に記載の硬化可能なポリウレタン材料を含む、多成分複合コーティング。
【請求項５４】
プライマーコーティング組成物から堆積したプライマーおよび該プライマー上に適用されるトップコートを含む多成分複合コーティングであって、該トップコートはトップコート組成物から堆積され、ここで、該プライマーコーティング組成物および該トップコート組成物の少なくとも１つが、請求項１に記載の硬化可能なポリウレタン材料を含む、多成分複合コーティング。
【請求項５５】
コーティングされた基材であって、基材上にコート層が適用されており、該層の少なくとも１つが、請求項１に記載の硬化可能なポリウレタン材料を含む、コーティングされた基材。
【請求項５６】
前記ポリウレタン材料が、１当量当たり２００〜４００グラムの範囲の、合わせたウレタン／尿素当量を有する、請求項８に記載のポリウレタン材料。
【請求項５７】
前記ポリウレタン材料が、１当量当たり約２００〜約４００グラムの範囲の、合わせたウレタン／尿素当量を有する、請求項４７に記載のプライマー組成物。
【請求項５８】
コーティングされた基材を製造するための方法であって、該方法は、以下：
（ａ）該基材上にコーティングを形成する工程であって、該コーティングが、アニオン性の自己架橋可能なポリウレタン材料を含む組成物であり、該ポリウレタン材料が、１モル当たり１５，０００グラム未満の重量平均分子量を有し、ここで、該ポリウレタン材料は、硬化する場合に、２５℃の温度でのＴＯＵＧＨＮＥＳＳ  ＴＥＳＴ  ＭＥＴＨＯＤに従って少なくとも２０ＭＰａの靱性を有する、工程；および
（ｂ）該コーティングを少なくとも部分的に硬化させる工程、
を包含する、方法。
【請求項５９】
前記ポリウレタン材料が、１当量当たり２００〜４００グラムの範囲の、合わせたウレタン／尿素当量を有する、請求項５８に記載の方法。